(57)【要約】【課題】ＡＶＣサーバから可搬性に優れた記録媒体にデータを記録する際に、ＡＶＣサーバを遠隔操作しながら、その手元で記録媒体を扱えるようにする。【解決手段】ＡＶＣサーバ１を操作する遠隔操作装置２は、着脱可能な記録媒体１６を備える。ＡＶＣサーバ１の記録再生装置７から再生されたコンテンツデータは、信号処理部６を介してデータレートを変換した後、送受信部９及び１３を介して遠隔操作装置２の記録再生部１５に入力される。そして、記録再生部１５により記録媒体１６にコンテンツデータが記録される。これにより、遠隔操作装置２を用いてＡＶＣサーバ１を操作しながら、その手元で記録媒体１６を用いて所望のデータを記録再生することができる。【選択図】  図１
2004343600.tif 000002
【特許請求の範囲】
【請求項１】
ＡＶＣサーバを操作する遠隔操作装置であって、
前記ＡＶＣサーバを操作するための制御信号を発生する制御部と、
前記制御部からの制御信号を前記ＡＶＣサーバに送信するとともに、前記ＡＶＣサーバとの間で所望のコンテンツデータを送受信する送受信部と、
前記送受信部からのコンテンツデータを記録媒体に記録する、または前記記録媒体からのデータを前記送受信部に出力する記録再生部とを備えた遠隔操作装置。
【請求項２】
前記記録媒体は、着脱可能な半導体メモリ装置であることを特徴とする請求項１記載の遠隔操作装置。
【請求項３】
前記送受信部は、前記制御信号と前記コンテンツデータとを異なる手段により送受信することを特徴とする請求項１記載の遠隔操作装置。
【請求項４】
前記半導体メモリ装置の装着を検出する手段を有し、前記制御部は、前記装着を検出した場合に、前記ＡＶＣサーバに対して電源をオンとする制御信号を発生することを特徴とする請求項２記載の遠隔操作装置。
【請求項５】
前記半導体メモリ装置の取り外しを検出する手段を有し、前記制御部は、前記取り外しを検出した場合に、前記ＡＶＣサーバに対して電源をオフとする制御信号を発生することを特徴とする請求項２記載の遠隔操作装置。
【請求項６】
動作モードを切り替える切替手段を有し、前記制御部は、前記動作モードに応じて遠隔操作装置を、前記ＡＶＣサーバから制御される１つのドライブとするか、独立した携帯機器とするかの制御を行うことを特徴とする請求項１記載の遠隔操作装置。
【請求項７】
請求項１ないし６のいずれかに記載の遠隔操作装置によって操作される前記ＡＶＣサーバであって、
コンテンツデータを記録する記録再生装置と、
前記遠隔操作装置との間でコンテンツデータを送受信するサーバ側送受信部と、
前記記録再生装置または前記サーバ側送受信部に対するコンテンツデータを圧縮または伸張する信号処理部とを備え、
前記記録再生装置に対するコンテンツデータの圧縮率は、前記サーバ側送受信部に対するコンテンツデータの圧縮率より大とすることを特徴とするＡＶＣサーバ。
【請求項８】
請求項１ないし６のいずれかに記載の遠隔操作装置によって操作される前記ＡＶＣサーバであって、
コンテンツデータを記録する記録再生装置と、
前記遠隔操作装置との間でコンテンツデータを送受信するサーバ側送受信部と、
前記記録再生装置または前記サーバ側送受信部に対するコンテンツデータを圧縮、伸張またはダイジェストを作成する信号処理部とを備え、
前記サーバ側送信部に対するコンテンツデータは、前記記録再生装置に対するコンテンツデータのダイジェストであることを特徴とするＡＶＣサーバ。
【請求項９】
請求項１ないし６のいずれかに記載の遠隔操作装置によって操作される前記ＡＶＣサーバであって、
コンテンツデータを記録する記録再生装置と、
前記遠隔操作装置との間でコンテンツデータを送受信するサーバ側送受信部と、
前記記録再生装置または前記サーバ側送受信部に対するコンテンツデータの出力を制御する信号処理部とを備え、
前記サーバ側送受信部に対するコンテンツデータの転送レートを、前記記録再生装置に対するコンテンツデータの転送レートより低くすることを特徴とするＡＶＣサーバ。
【請求項１０】
前記遠隔操作装置との間で送受信が可能か否かを判断する制御部を備え、前記制御部は、送受信が可能となった際に、前記記録再生装置、信号処理部またはサーバ側送受信部を制御し、前記遠隔操作装置との間でコンテンツデータの送受信を行うことを特徴とする請求項７ないし９のいずれかに記載のＡＶＣサーバ。
【請求項１１】
前記遠隔操作装置に装着された記録媒体の空き容量を判断する制御部を備え、前記制御部は、記録するに十分な容量となった際に、前記記録再生装置、信号処理部またはサーバ側送受信部を制御し、前記遠隔操作装置との間でコンテンツデータの送受信を行うことを特徴とする請求項７ないし９のいずれかに記載のＡＶＣサーバ。
【発明の詳細な説明】
【０００１】
【発明の属する技術分野】
本発明は、映像信号や音声信号を記録再生するＡＶＣサーバおよびこれを操作する遠隔操作装置に関する。
【０００２】
【従来の技術】
近年、磁気ディスク装置や光ディスク装置などの記録再生装置を用いて、色々なデータ形式の映像信号や音声信号を記録再生するＡＶＣサーバがある。このような、ＡＶＣサーバは、その本体で、記録再生された映像や音声のコンテンツを鑑賞するだけでなく、記録されているコンテンツデータの出し入れを容易にし、携帯端末装置でも利用できるようにすることが望ましい。そのために、可搬性に優れた記録媒体をＡＶＣサーバで扱えるようにする必要がある。
【０００３】
可搬性に優れた記録媒体としては、メモリカードがよく知られており、メモリカードは、各種携帯情報端末、デジタルスチルカメラ、半導体オーディオプレーヤなど、多岐に渡り利用されている。また、このようなメモリカードを着脱するためのカードスロットをＡＶＣサーバ本体に設けたものも発売されている（例えば、松下電器産業株式会社製のＤＶＤビデオレコーダＤＭＲ−ＨＳ２は、ＰＣカードスロットを設けている）。
【０００４】
また、メモリカード用のスロットは、機器本体に設けるだけでなく、リモートコントローラに設けるというアイディアもある（特許文献１を参照）。この例では、リモートコントローラを多機能化するためのデータを供給する記録媒体として、単にメモリカードを用いるというものである。
【０００５】
このように、メモリカードは、携帯機器（モバイル機器ともいう）に使用されるだけでなく、ＡＶＣサーバ機器と連携するための媒体（ブリッジメディア）として注目を浴びている。
【０００６】
【特許文献１】
特開２０００−３００１０号公報
【０００７】
【発明が解決しようとする課題】
ＡＶＣサーバと携帯機器とを連携させるためのブリッジメディアであるメモリカードは、種々発売されており、小さいもので切手サイズのものもある。このような小型のメモリカードに、ＡＶＣサーバ内のコンテンツデータを転送する場合を考える。まず、ユーザーは、ＡＶＣサーバ本体にあるカードスロットにメモリカードを挿入し、次にＡＶＣサーバ用のリモートコントローラを操作し、ＡＶＣサーバに記録された情報の中から所望のコンテンツデータを選択し、メモリカードに記録を開始する。そして、記録が終了すれば、メモリカードをＡＶＣサーバ本体から取り出す。
【０００８】
このように、従来のＡＶＣサーバでは、ユーザー自身が、機器本体が設置されている所に行って、メモリカードを着脱する必要があり、一連の作業は面倒なものであった。
【０００９】
本願発明は、上記問題点を解決するもので、記録再生装置などからメモリカードへ所望のデータを記録するという一連の動作を、ユーザーが移動することなく、ユーザーの手元で行うことが可能な遠隔操作装置及びＡＶＣサーバを提供することを目的とする。
【００１０】
【課題を解決するための手段】
上記課題を解決するために本発明は、ＡＶＣサーバを操作するための遠隔操作装置に記録媒体を着脱自在に備え、かつＡＶＣサーバ及び遠隔操作装置にコンテンツデータを送受信するための送受信部を備えることで、ＡＶＣサーバ内の記録再生部と遠隔操作装置の記録媒体との間でコンテンツデータの送受信を可能としたものである。
【００１１】
これにより、ＡＶＣサーバの操作と、ＡＶＣサーバと記録媒体との間とのデータの送受信とが、ユーザーの手元にある遠隔操作装置で行うことができる。
【００１２】
【発明の実施の形態】
本発明の請求項１に記載の発明は、ＡＶＣサーバを操作する遠隔操作装置であって、前記ＡＶＣサーバを操作するための制御信号を発生する制御部と、前記制御部からの制御信号を前記ＡＶＣサーバに送信するとともに、前記ＡＶＣサーバとの間で所望のコンテンツデータを送受信する送受信部と、前記送受信部からのコンテンツデータを記録媒体に記録する、または前記記録媒体からのデータを前記送受信部に出力する記録再生部とを備えたものである。これにより、ユーザーはＡＶＣサーバの設置場所に移動することなく、手元にある遠隔操作装置のみで、データの記録再生を行うことができる。
【００１３】
また、請求項２に記載の発明は、上記請求項１に係る発明において、前記記録媒体は、着脱可能な半導体メモリ装置であることを特徴とするものである。これにより、同じく半導体メモリ装置を用いる携帯端末機器との連携を容易に行うことができる。
【００１４】
また、請求項３に記載の発明は、上記請求項１に係る発明において、前記送受信部は、前記制御信号と前記コンテンツデータとを異なる手段により送受信することを特徴とするものである。これにより、コンテンツデータの転送速度や信頼性を向上することができる。
【００１５】
また、請求項４に記載の発明は、上記請求項２に係る発明において、前記半導体メモリ装置の装着を検出する手段を有し、前記制御部は、前記装着を検出した場合に、前記ＡＶＣサーバに対して電源をオンとする制御信号を発生することを特徴とするものである。これにより、ユーザーの操作を簡略化し、素早く所望の処理に移行することができる。
【００１６】
また、請求項５に記載の発明は、上記請求項２に係る発明において、前記半導体メモリ装置の取り外しを検出する手段を有し、前記制御部は、前記取り外しを検出した場合に、前記ＡＶＣサーバに対して電源をオフとする制御信号を発生することを特徴とするものである。これにより、ユーザーの操作を簡略化し、素早く処理を終了するので消費電力の削減を図ることができる。
【００１７】
また、請求項６に記載の発明は、上記請求項１に係る発明において、動作モードを切り替える切替手段を有し、前記制御部は、前記動作モードに応じて遠隔操作装置を、前記ＡＶＣサーバから制御される１つのドライブとするか、独立した携帯機器とするかの制御を行うことを特徴とするものである。これにより、遠隔操作装置を独立した携帯端末機器として使用することができる。
【００１８】
また、請求項７に記載の発明は、上記請求項１ないし６のいずれかに係る発明の遠隔操作装置によって操作される前記ＡＶＣサーバであって、コンテンツデータを記録する記録再生装置と、前記遠隔操作装置との間でコンテンツデータを送受信するサーバ側送受信部と、前記記録再生装置または前記サーバ側送受信部に対するコンテンツデータを圧縮または伸張する信号処理部とを備え、前記記録再生装置に対するコンテンツデータの圧縮率は、前記サーバ側送受信部に対するコンテンツデータの圧縮率より大とすることを特徴とするものである。これにより、ＡＶＣサーバと遠隔操作装置間の通信路容量が狭い場合であっても、早く送受信することができる。
【００１９】
また、請求項８に記載の発明は、上記請求項１ないし６のいずれかに係る発明の遠隔操作装置によって操作される前記ＡＶＣサーバであって、コンテンツデータを記録する記録再生装置と、前記遠隔操作装置との間でコンテンツデータを送受信するサーバ側送受信部と、前記記録再生装置または前記サーバ側送受信部に対するコンテンツデータを圧縮、伸張またはダイジェストを作成する信号処理部とを備え、前記サーバ側送信部に対するコンテンツデータは、前記記録再生装置に対するコンテンツデータのダイジェストであることを特徴とするものである。これにより、ＡＶＣサーバと遠隔操作装置間の通信路容量が狭い場合であっても、大まかな情報を早く送受信することができる。
【００２０】
また、請求項９に記載の発明は、上記請求項１ないし６のいずれかに係る発明の遠隔操作装置によって操作される前記ＡＶＣサーバであって、コンテンツデータを記録する記録再生装置と、前記遠隔操作装置との間でコンテンツデータを送受信するサーバ側送受信部と、前記記録再生装置または前記サーバ側送受信部に対するコンテンツデータの出力を制御する信号処理部とを備え、前記サーバ側送受信部に対するコンテンツデータの転送レートを、前記記録再生装置に対するコンテンツデータの転送レートより低くすることを特徴とするものである。ＡＶＣサーバと遠隔操作装置間の通信路容量が狭い場合であっても、ゆっくりではあるが品質の高いデータを送受信することができる。
【００２１】
また、請求項１０に記載の発明は、上記請求項７ないし９のいずれかに係る発明において、前記遠隔操作装置との間で送受信が可能か否かを判断する制御部を備え、前記制御部は、送受信が可能となった際に、前記記録再生装置、信号処理部またはサーバ側送受信部を制御し、前記遠隔操作装置との間でコンテンツデータの送受信を行うことを特徴とするものである。これにより、遠隔操作装置の位置を気にすることなく利用することができる。
【００２２】
また、請求項１１に記載の発明は、上記請求項７ないし９のいずれかに係る発明において、前記遠隔操作装置に装着された記録媒体の空き容量を判断する制御部を備え、前記制御部は、記録するに十分な容量となった際に、前記記録再生装置、信号処理部またはサーバ側送受信部を制御し、前記遠隔操作装置との間でコンテンツデータの送受信を行うことを特徴とするものである。これにより、記録を途中で中止するなどの不本意な動作を回避することができる。
【００２３】
以下、本発明の実施の形態について、図面を用いて説明する。
【００２４】
（実施の形態１）
図１は、本発明の実施の形態１によるＡＶＣサーバ及び遠隔操作装置の構成を示すブロック図である。
【００２５】
図１において、１はＡＶＣサーバ、２はＡＶＣサーバ１を操作するための遠隔操作装置である。ＡＶＣサーバ１は、アンテナ３またはインターネットなどの通信網４から映像や音声のプログラムを受信するコンテンツ受信部５と、コンテンツデータの圧縮や伸張などの処理を行う信号処理部６と、コンテンツデータを記録再生する記録再生装置７と、コンテンツデータを表示する表示部８と、遠隔操作装置２とデータを送受する送受信部９と、ＡＶＣサーバ１の各部を制御する制御部１０とを備える。また、遠隔操作装置２は、操作キーなどから成る操作部１１と、操作部１１の指示に基づき制御信号を生成する制御部１２と、制御部１２からの制御信号をＡＶＣサーバ１に送るとともに、コンテンツデータを送受信する送受信部１３と、制御部１２に基づき装置の状態などを表示する表示部１４と、コンテンツデータを記録再生するための処理を行う記録再生部１５とを備える。
【００２６】
また、遠隔操作装置２は、記録再生部１５によって、コンテンツデータが記録再生される記録媒体１６を着脱自在に備える。この記録媒体１６は、例えば、不揮発性半導体メモリを備えたメモリカードである。
【００２７】
以上のように構成されたＡＶＣサーバ１と遠隔操作装置２の動作について、説明する。
【００２８】
ＡＶＣサーバ１は、映像や音声のコンテンツデータを記録再生するものであり、コンテンツデータの流れは、概ね次のように、幾通りかのパスを有する。（１）コンテンツ受信部５からのコンテンツデータを信号処理部６で圧縮し、記録再生装置７に記録する。（２）記録再生装置７から再生されたコンテンツデータを信号処理部６で伸張し、表示部８に出力する。（３）コンテンツ受信部５からのコンテンツデータを信号処理部６で圧縮し、送受信部９を介して遠隔操作装置２に送る。（４）記録再生装置７から再生されたコンテンツデータを信号処理部６で変換し、送受信部９を介して遠隔操作装置２に送る。（５）送受信部９を介して遠隔操作装置２から受信したコンテンツデータを信号処理部６で変換し、記録再生装置７に記録する。
【００２９】
このように、ＡＶＣサーバ１は、コンテンツデータの記録再生のみならず、遠隔操作装置２との間で、コンテンツデータを送受することができる。
【００３０】
一方、遠隔操作装置２は、操作部１１、制御部１２、送受信部１３により、通常のリモートコントロールの機能（以下、リモコン機能と称す）を実現している。本実施の形態による遠隔操作装置２は、通常のリモコン機能だけではなく、記録媒体１６を着脱自在に備え、この記録媒体１６に、送受信部１３を介して受信したコンテンツデータを記録することができる。
【００３１】
従って、ＡＶＣサーバ１から離れた位置からＡＶＣサーバ１を操作しながら、手元にある遠隔操作装置２を用いて、記録媒体１６に所望のコンテンツデータを記録することができる。よって、ユーザーはＡＶＣサーバ１の近くに移動する必要がなく、利用者の利便性の向上が図れる。
【００３２】
なお、ＡＶＣサーバ側の送受信部９及び遠隔操作装置側の送受信部１３との間の通信は、制御信号については赤外線が望ましく、コンテンツデータについては、赤外線（ＩｒＤＡなど）、無線（Ｂｌｕｅｔｏｏｔｈ、ＩＥＥＥ８０２．１１ｘなど）、有線（ＵＳＢなど）あるいは光通信など如何なる手段によるものであってもよい。即ち、制御信号とコンテンツデータの送受信方法は、同じであってもよいし、異なっていてもよい。
【００３３】
また、送受信部９と送受信部１３との間の転送レートと、記録再生装置７への転送レートとは、同じでなくともよい。送受信部９と送受信部１３との間の転送レートが、記録再生装置７への転送レートより低い場合は、信号処理部６または記録再生装置７がバッファとして作用することで、転送レートを低くして送受信すればよい。よって、ＡＶＣサーバ１と遠隔操作装置２の間の通信路容量が狭い場合（転送レートが低い場合）であっても、ゆっくりではあるが品質の高いデータ（圧縮率の低いデータ）を送受信することができる。
【００３４】
以上のように本実施の形態によれば、ＡＶＣサーバ１をコントロールする遠隔操作装置２に記録媒体１６を着脱でき、かつ、ＡＶＣサーバ１との間でコンテンツデータを送受信及び記録再生することができるので、ユーザーが記録媒体１６をわざわざＡＶＣサーバ１に着脱する必要がなく、ユーザーの手元で操作しながら扱うことができ、ユーザーの利便性の向上を図ることができる。
【００３５】
（実施の形態２）
図２は、本発明の実施の形態２によるＡＶＣサーバ１の信号処理部の構成を示すブロック図である。本実施の形態は、ＡＶＣサーバ１の信号処理部に特徴を有するものであり、図２に信号処理部６ａとして示している。その他の構成は、図１に示した実施の形態１と同じであり、その説明は省略する。
【００３６】
信号処理部６ａは、２つの圧縮／伸張手段２０，２１を有する。一例として、圧縮／伸張手段２０は、ＭＰＥＧ２（Ｍｏｖｉｎｇ  Ｐｉｃｔｕｒｅ  Ｅｘｐｅｒｔｓ  Ｇｒｏｕｐ  Ｐｈａｓｅ  ２）による圧縮／伸張を行い、圧縮／伸張手段２１は、ＭＰＥＧ４による圧縮／伸張を行う。即ち、圧縮／伸張手段２０に比べ圧縮／伸張手段２１の圧縮率が高く、圧縮して得られるデータのビットレートは、圧縮／伸張手段２０の方が高くなる。
【００３７】
従って、送受信部９と送受信部１３との間の転送レートが、記録再生装置７への転送レートより低い場合を想定すると、記録再生装置７と圧縮／伸張手段２０との間は、ＭＰＥＧ２による高めの転送レートを使用し、遠隔操作装置２（送受信部９，１３）と圧縮／伸張手段２１との間では、ＭＰＥＧ４による低めの転送レートを使用することが可能となる。
【００３８】
以上のように本実施の形態によれば、ＡＶＣサーバ１と遠隔操作装置２との間の転送レートに合わせて送受信できるように、圧縮／伸張手段２０，２１を設け、圧縮／手段２０の圧縮率を、圧縮／伸張手段２１の圧縮率より大とすることで、ＡＶＣサーバ１と遠隔操作装置２の間の通信路容量が狭い（転送レートが低い）場合であっても、バッファリング制御することなく早く送受信することができる。
【００３９】
なお、圧縮／伸張手段２１の圧縮率は、送受信部９，１３の転送速度に応じて、圧縮率を可変したり、バッファリング制御と併用してもよい。
【００４０】
（実施の形態３）
図３は、本発明の実施の形態３によるＡＶＣサーバの信号処理部の構成を示すブロック図である。本実施の形態は、ＡＶＣサーバ１の信号処理部に特徴を有するものであり、図３に信号処理部６ｂとして示している。その他の構成は、図１に示した実施の形態１と同じであり、その説明は省略する。
【００４１】
信号処理部６ｂは、圧縮／伸張手段２０とダイジェスト生成手段２２とを有する。一例として、圧縮／伸張手段２０は、ＭＰＥＧ２による圧縮／伸張を行い、ダイジェスト生成手段２２は、時間軸方向に間引いたコンテンツデータの生成を行う。無論、ダイジェスト生成手段２２は、コンテンツ受信部５からのデータに対して行ってもよいし、圧縮／伸張手段２０で圧縮されたデータに対して行ってもよい。従って、圧縮／伸張手段２０で圧縮されたデータからダイジェストを生成した場合は、ダイジェスト生成手段２２から得られるデータのビットレートが、圧縮／伸張手段２０から得られるデータに比べて、低くなる。
【００４２】
従って、送受信部９と送受信部１３との間の転送レートが、記録再生装置７への転送レートより低い場合を想定すると、記録再生装置７と圧縮／伸張手段２０との間は、ＭＰＥＧ２による高めの転送レートを使用し、遠隔操作装置２（送受信部９，１３）とダイジェスト生成手段２２との間では、ダイジェストデータによる低めの転送レートを使用することが可能となる。
【００４３】
以上のように本実施の形態によれば、ＡＶＣサーバ１と遠隔操作装置２との間の転送レートに合わせて送受信できるように、圧縮／伸張手段２０とダイジェスト生成手段２２を設け、ダイジェスト生成手段２２の出力のデータレートを圧縮／手段２０の出力よりも低くすることで、ＡＶＣサーバ１と遠隔操作装置２の間の通信路容量が狭い（転送レートが低い）場合であっても、バッファリング制御することなく早く送受信することができる。
【００４４】
なお、ダイジェスト生成手段２２の時間軸上の圧縮率は、送受信部９，１３の転送速度に応じて、可変にしたり、バッファリングと併用してもよい。また、ダイジェスト生成手段２２の出力を記録再生装置７に一旦記録した後に遠隔操作装置２に送るようにしてもよい。
【００４５】
（実施の形態４）
図４は、本発明の実施の形態４によるＡＶＣサーバの動作例を示すフローチャートである。なお、本実施の形態によるＡＶＣサーバ及び遠隔操作装置の構成は、図１に示した実施の形態１と同じであり、その説明は省略する。
【００４６】
図４において、ステップ４０は、転送データを生成するステップであり、信号処理部６において、コンテンツ受信部５からのコンテンツデータを圧縮したり、記録再生装置７からのデータを再圧縮したりするものである。
【００４７】
ステップ４１は、遠隔操作装置２との間の通信が可能かどうかを確認するステップであり、送受信部９、制御部１０において、送受信部９，１３間の接続が確保されているかどうかを確認する。
【００４８】
ステップ４２は、ステップ４１の結果を判断するするステップであり、接続が確保されない場合はステップ４３に移行し、接続が確保されている場合はステップ４４に移行する。
【００４９】
ステップ４３は、ステップ４０で生成された転送データを一旦バッファに蓄えるステップである。バッファは、信号処理部６や送受信部９の内部に設けてもよいし、記録再生装置７をバッファとして用いてもよい。そして、ステップ４０に戻る。
【００５０】
一方、ステップ４４は、接続が確保されている状態で、遠隔制御装置２に装着された記録媒体１６にデータを記録するに十分な容量があるかどうかを確認するするステップである。制御部１０、送受信部９，１３、記録再生部１５、記録媒体１６という経路で、記録媒体１６の空き容量を検知する。その結果は、制御部１０に通知される。
【００５１】
ステップ４５は、ステップ４４の結果を判断するするステップであり、記録に必要な容量が確保されない場合はステップ４３に移行し、容量が確保されている場合はステップ４６に移行する。
【００５２】
ステップ４６は、データ転送を行うステップであり、制御部１０の制御に基づき、記録再生装置７、信号処理部６、送受信９が動作し、ステップ４０で生成されたデータあるいはステップ４３でバッファリング制御されたデータが遠隔操作装置２に転送される。
【００５３】
以上のように本実施の形態によれば、ＡＶＣサーバ１と遠隔操作装置２との間で通信が確立されているか、遠隔操作装置２の記録媒体１６の容量が十分であるかを確認した後に、データを送信するので、遠隔操作装置２がどこにあるか、どのような状態にあるかを気にすることなく、確実に通信路を確保した上で利用することができ、また、記録容量不足で、記録を途中で中止するなどの不本意な動作を回避することができる。
【００５４】
なお、本実施の形態では、通信路の接続確認（ステップ４１，４２）と、記録媒体の容量確認（ステップ４４，４５）との両方を設けた場合について説明したが、何れか一方の工程を備えたものであってもよい。
【００５５】
また、通信路状態や空き容量によって、途中で送受信が中断した場合にも対応できるように、図４に示したフローチャートを、所定の単位（例えば、パケット単位等）で繰り返し実行するような構成としてもよい。
【００５６】
（実施の形態５）
図５は、本発明の実施の形態５によるＡＶＣサーバ及び遠隔操作装置の構成を示すブロック図である。同図では、図１とは制御部５３，５５の機能が異なり、新たに電源部５４を明記した。この相違によりＡＶＣサーバ５１、遠隔操作装置５２と新たな符号を付したが、その他の構成要素は、図１に示したものと同じであり、その説明は省略する。
【００５７】
図５において、制御部５５は、記録媒体１６が遠隔操作装置５２に装着されたかどうかを、記録再生部１５を介して検知する。そして、新たに記録媒体１６が装着された場合、制御部５５は、ＡＶＣサーバ５１の電源をオンとする制御信号を、送受信部１３を介して送受信部９へ送る。ＡＶＣサーバ５１では、送受信部９を介して制御信号を受信し、電源部５４を制御し、ＡＶＣサーバ５１の各部に電力を供給する。
【００５８】
なお、遠隔操作装置５２からの制御信号を受けるために必要な箇所には電力が供給されているものとする。
【００５９】
以上のように本実施の形態によれば、新たに記録媒体１６にＡＶＣサーバ５１からコンテンツデータを記録しようとした場合に、遠隔操作装置５２に記録媒体１６を装着するだけで、ＡＶＣサーバ５１の電源がオンとなるので、ユーザーの操作を簡略化し、素早く所望の処理に移行することができる。
【００６０】
なお、上記実施の形態では、記録媒体１６の装着を検知して、ＡＶＣサーバ５１の電源をオンとするように構成したが、記録媒体１６の取り外しを検知して、ＡＶＣサーバ５１の電源をオフとするように構成してもよい。
【００６１】
また、電源をオンオフするだけでなく、記録媒体１６とのデータの送受信に関わる所望の処理を実施可能にするように、ＡＶＣサーバ５１側の必要なアプリケーションを立ち上げておくように構成してもよい。これは、記録媒体１６が装着された旨の情報を制御部５３で受け取り、信号処理部６等に所定の命令を出すようにして構成することができる。
【００６２】
（実施の形態６）
次に、本発明の実施の形態６について説明する。本実施の形態によるＡＶＣサーバ及び遠隔操作装置の構成は、図１に示したものと同様であり、本実施の形態は、特に制御部１２の動作に特徴を有するものである。
【００６３】
本実施の形態では、操作部１１に動作モードを切り替える切替手段を併せ持つものとする。即ち、動作モード切り替えスイッチを有している。動作モードには、リモコンモードとモバイルモードとがある。リモコンモードの場合は、上記の実施の形態で説明したものと同じ動作をするものとする。モバイルモードの場合は、ＡＶＣサーバ１とは独立した状態で、遠隔操作装置２のみで記録媒体１６へのアクセスを可能とする。
【００６４】
リモコンモードでは、遠隔操作装置２あるいは記録媒体１６は、ＡＶＣサーバ１から見て、１つのドライブとして扱われる。従って、ＡＶＣサーバ１は、記録媒体１６のホスト機器であり、遠隔操作装置２はインターフェース機能を有するものと理解できる。
【００６５】
一方、モバイルモードにすると、制御部１２からモード変更の制御信号が発せられ、これを受けた制御部１０は、遠隔操作装置２あるいは記録媒体１６を、扱う対象のドライブから切り離してしまう。これにより、ＡＶＣサーバ１の通信圏内に遠隔操作装置２が存在していても、ＡＶＣサーバ１の制御を受けることなく、独立に遠隔操作装置２を単独で操作し、記録媒体１６に記録されたコンテンツデータを再生して表示部１４に表示するなどの動作を行うことができる。
【００６６】
この場合、記録再生部１５には、コンテンツデータを表示などの動作に必要な処理を行う手段または機能を有するものとする。
【００６７】
以上のように本実施の形態によれば、遠隔操作装置２の動作モードを切り替えるようにしたので、遠隔操作装置２を独立した携帯機器として使用することができる。
【００６８】
なお、本実施の形態によれば、動作モードを操作部１１の操作に基づき切り替えるように構成したが、例えば、制御部１０，１２で送受信部９，１３間での通信が確保できているかどうかを判断し、通信が確保されているときはリモコンモードとし、通信が確保されていないときはモバイルモードとするように切り替えるようにしてもよい。
【００６９】
【発明の効果】
以上のように本発明によれば、ＡＶＣサーバを操作する遠隔操作装置に記録媒体を着脱自在に備え、かつＡＶＣサーバ及び遠隔操作装置にコンテンツデータを送受信するための送受信部を各々備え、ＡＶＣサーバ内の記録再生部と遠隔操作装置の記録媒体との間でコンテンツデータの送受信及び記録再生を可能としたので、ＡＶＣサーバに対する操作と、ＡＶＣサーバと記録媒体との間とのデータの送受信及び記録再生とを、ユーザーの手元にある遠隔操作装置のみで行うことができ、ユーザーの利便性を向上することができる。
【図面の簡単な説明】
【図１】本発明の実施の形態１によるＡＶＣサーバ及び遠隔操作装置の構成を示すブロック図
【図２】同実施の形態２によるＡＶＣサーバの信号処理部の構成を示すブロック図
【図３】同実施の形態３によるＡＶＣサーバの信号処理部の構成を示すブロック図
【図４】同実施の形態４によるＡＶＣサーバの動作例を示すフローチャート
【図５】同実施の形態５によるＡＶＣサーバ及び遠隔操作装置の構成を示すブロック図
【符号の説明】
１  ＡＶＣサーバ
２  遠隔操作装置
３  アンテナ
４  ネットワーク
５  コンテンツ受信部
６  信号処理部
７  記録再生装置
８、１４  表示部
９、１２  制御部
１０、１３  送受信部
１１  操作部
１５  記録再生部
１６  記録媒体
【図１】
2004343600.tif 000003
【図２】
2004343600.tif 000004
【図３】
2004343600.tif 000005
【図４】
2004343600.tif 000006
【図５】
2004343600.tif 000007